(57)【要約】【課題】製本可能なカレンダーを提供することを目的とする。【解決手段】月日及び曜日が記載されたカレンダーであって、前記カレンダーの少なくとも一部を切り分け可能な切分け線Ｃと、前記カレンダーの少なくとも一部を折り易くする折り線Ｄとを備えるカレンダーを構成した。【選択図】図１
2017052201.tif 000002
【特許請求の範囲】
【請求項１】
月日及び曜日が記載されたカレンダーであって、
前記カレンダーの少なくとも一部を切り分け可能とする切分け線（Ｃ）と、
前記カレンダーの少なくとも一部を折り易くする折り線（Ｄ）とを備えるカレンダー。
【請求項２】
前記切分け線に沿って切り分け、前記折り線に沿って折り、切り分けたカレンダーの一部を接着することより製本することにより製本することができる請求項１記載のカレンダー。
【請求項３】
月日及び曜日が記載されたカレンダーであって、
前記カレンダーの少なくとも一部を切り分け可能とする切分け線（Ｃ）と、
前記切分け線に沿って切り分けられる複数の切分け部（１、２、３、４）とを備え、
前記切分け部を所定の位置で折り、前記切分け部の少なくとも一部を接着することにより製本することができるカレンダー。
【請求項４】
月日及び曜日が記載されたカレンダーであって、
前記カレンダーの少なくとも一部を剥すことが可能な剥し部（５、６、７、８）を備え、
前記剥し部を所定の位置で折り、前記剥し部の少なくとも一部を接着することにより製本することができるカレンダー。
【請求項５】
前記切分け部又は前記剥し部を折り易くする折り線（Ｄ）を備える請求項３又は４記載のカレンダー。
【発明の詳細な説明】
【技術分野】
【０００１】
本発明は、月日及び曜日が記載されたカレンダーに関するものである。
【背景技術】
【０００２】
従来、カレンダーはそこに記載された月や年が終わると廃棄されていた。しかし、カレンダーにはスケジュール帳のように予定や行事等を書き込むことが一般に行われており、特にそれが家族や子供の予定等の場合、思い出として残しておきたいという要望が存在する。
【０００３】
特許文献１では、切り離し用のミシン目を有するリーフ印刷物が記載されている。また、図１４では本の状態のリーフ印刷物が記載されている。
【０００４】
しかし、特許文献１に係る発明は、印刷が施された複数のリーフの製造コストを節減するというものであり、カレンダーから製本できるようにするものではない。
【先行技術文献】
【特許文献】
【０００５】
【特許文献１】特開２０１２−１０５５９号公報
【発明の概要】
【発明が解決しようとする課題】
【０００６】
本発明は、製本可能なカレンダーを提供することを目的とする。
【課題を解決するための手段】
【０００７】
本発明に係るカレンダーは、月日及び曜日が記載されたカレンダーであって、前記カレンダーの少なくとも一部を切り分け可能とする切分け線と、前記カレンダーの少なくとも一部を折り易くする折り線とを備える。
【０００８】
このようなものであれば、容易にカレンダーから製本することができる。つまり、前記切分け線に沿って切り分け、前記折り線に沿って折り、切り分けたカレンダーの一部を接着することより製本することができる。
【０００９】
また、本発明に係るカレンダーは、月日及び曜日が記載されたカレンダーであって、前記カレンダーの少なくとも一部を切り分け可能とする切分け線と、前記切分け線に沿って切り分けられる複数の切分け部とを備え、前記切分け部を所定の位置で折り、前記切分け部の少なくとも一部を接着することにより製本することができる。
【００１０】
また、本発明に係るカレンダーは、月日及び曜日が記載されたカレンダーであって、前記カレンダーの少なくとも一部を剥すことが可能な剥し部を備え、前記剥し部を所定の位置で折り、前記剥し部の少なくとも一部を接着することにより製本することができる。
【００１１】
このようなものであっても容易にカレンダーから製本することができる。そして、このようなカレンダーは、前記切分け部又は前記剥し部を折り易くする折り線を備えるものが好ましい。
【００１２】
また、前記切分け部又は前記剥し部の一部が本の表紙となるものが好ましい。なお、本発明における「製本」とは、本の形態をとるようにすることをいう。
【発明の効果】
【００１３】
本発明に係るカレンダーであれば、製本することができる。
【図面の簡単な説明】
【００１４】
【図１】本発明の一実施形態に係るカレンダーの平面図。
【図２】同カレンダーを切分け線に沿って切り分けたカレンダーの平面図。
【図３】同カレンダーの折り線に沿って折った場合の第１切分け部の斜視図。
【図４】同カレンダーの折り線に沿って折った場合の第２切分け部、第３切分け部及び第４切分け部の斜視図。
【図５】同カレンダーの折り線に沿って折り第１切分け部乃至第４切分け部を接着した場合の斜視図。
【図６】本発明の一実施形態に係るカレンダーの平面図。
【発明を実施するための形態】
【００１５】
本発明の一実施形態について図面を参照して説明する。本実施形態のカレンダーは、図１に示すように表面Ａ、裏面Ｂ、切分け線Ｃ及び折り線Ｄを備え、本にすることができるものである。
【００１６】
なお、本実施形態に係るカレンダーは壁掛けカレンダーであるが、本発明のカレンダーはこれに限定されない。
【００１７】
表面Ａは、表面Ａ１乃至Ａ１６を有し、表面Ａ５乃至表面Ａ１６には、１月から１２月までの月日及び曜日が記載されており、通常のカレンダーとして使用することができる。なお、１月から１２月までの月日及び曜日は、記載だけでなく、印刷や印刷されたものを塗布するものであってもよく、その表示方法はどのようなものであってもよい。
【００１８】
裏面Ｂは、表面Ａの裏面であり、表面Ａと同様に裏面Ｂ１乃至Ｂ１６からなる。表面Ａ１の裏面は、裏面Ｂ１となり、表面Ａ２の裏面は、裏面Ｂ２となり、他も同様である。
【００１９】
〈第１実施形態〉図１に示すように、本実施形態のカレンダーでは、切分け線Ｃである切分け線Ｃ１乃至Ｃ４を備える。また、本実施形態のカレンダーでは、切分け線Ｃがミシン目のようになっており、人の手で簡単に切り分けることができる。
【００２０】
切分け線Ｃ１乃至Ｃ４に沿って切り分けることにより、カレンダーは第１切分け部１、第２切分け部２、第３切分け部３及び第４切分け部４に切り分けることができる。なお、ハサミやカッター等を利用して切分け線Ｃに沿って切り分けるようなものであってもよい。
【００２１】
図１に示すように、本実施形態のカレンダーでは、折り線Ｄである折り線Ｄ１乃至Ｄ４を備える。折り線Ｄは山折り又は谷折りしやすいように設けられた線である。具体的には、折れ線Ｄ１は、谷折りするための線である。折り線Ｄ３は、山折り又は谷折りいずれも可能な線であり、折り線Ｄ３１は山折りしやすいようになっており、折り線Ｄ３２、Ｄ３３、Ｄ３４は、谷折りしやすいような線になっている。折れ線Ｄ２及びＤ４は山折りしやすいように設けられた線である。
【００２２】
なお、切分け線Ｃ４及び折り線Ｄ４は、カレンダーを製本した場合の厚みを考慮したものであり、切分け線Ｃ４及び折り線Ｄ４を備えない構成であってもよい。また、カレンダーは、壁に貼り付けるためや壁に掛けるための部分を備えるような構成であってもよい。
【００２３】
次に製本工程について説明する。まず切分け線Ｃ１に沿って切り分けると、表面Ａ１、Ａ２、Ａ３及びＡ４（裏面Ｂ１、Ｂ２、Ｂ３及びＢ４）からなる第１切分け部１をカレンダーから切り分けることができる。
【００２４】
図１及び図２に示すように、第１切分け部１には折り線Ｄ１１、Ｄ２１、Ｄ３１及びＤ４が設けられている。図３に示すように、折り線Ｄ１１は谷折り、折り線Ｄ２１、Ｄ３１及びＤ４は山折りにする。
【００２５】
このように折り線Ｄ１１、Ｄ２１、Ｄ３１及びＤ４に沿って折ることにより、第１切分け部１は本の表紙等になる。つまり、表面Ａ４は表紙となり、表面Ａ３は裏表紙となる。
【００２６】
裏面Ｂ２と裏面Ｂ３は接着させる。接着方法はのり、テープ等どのようなものであってもよい。また、裏面Ｂ２、Ｂ３の少なくともいずれか一方が、シールとなっているものであってもよい。その他、部分的に接着するような構成であってもよい。なお、図５に示すように、裏面Ｂ４は、裏面Ｂ５と接着し、裏面Ｂ１は、裏面Ｂ１６と接着する。
【００２７】
本実施形態では表紙及び裏表紙となる部分がカレンダーに含まれているが、このようなものを備えない構成であってもよい。また、表紙及び裏表紙以外の部分（本実施形態ではＡ１及びＡ２）を切り分けるような構成であってもよい。
【００２８】
第２切分け部２、第３切分け部３及び第４切分け部４には、１月から１２月までの月日及び曜日が記載されている。具体的には、図１及び図２に示すように、表面Ａ５には、１月の日にち及び曜日が記載されている。同様に、表面Ａ６には、２月、表面Ａ７には３月、表面Ａ８には４月、表面Ａ９には５月、表面Ａ１０には６月、表面Ａ１１には７月、表面Ａ１２には８月、表面Ａ１３には９月、表面Ａ１４には１０月、表面Ａ１５には１１月、表面Ａ１６には１２月の日にち及び曜日が記載されている。
【００２９】
次に、切分け線Ｃ１、切分け線Ｃ２及び切分け線Ｃ４に沿って切り分けると、表面Ａ５、Ａ６、Ａ７、Ａ８（裏面Ｂ５、Ｂ６、Ｂ７及びＢ８）からなる第２切分け部２をカレンダーから切り分けることができる。
【００３０】
図１及び図２に示すように、第２切分け部２には折り線Ｄ１２、Ｄ２２、Ｄ３２及びＤ４が設けられている。図４に示すように、折り線Ｄ１２及びＤ３２は谷折り、折り線Ｄ２２は山折りにする。
【００３１】
このように折り線Ｄ１２、Ｄ２２及びＤ３２に沿って折ることにより、第２切分け部２は本の一部となる。
【００３２】
裏面Ｂ４と裏面Ｂ５、裏面Ｂ６と裏面Ｂ７は接着させる。接着方法はのり、テープ等どのようなものであってもよい。また、裏面Ｂ４及びＢ５、裏面Ｂ６及びＢ７の少なくともいずれか一方が、シールとなっているものであってもよい。裏面Ｂ６と裏面Ｂ７は本実施形態では接着させるが、接着させなくてもよい。
【００３３】
次に、切分け線Ｃ２、切分け線Ｃ３及び切分け線Ｃ４に沿って切り分けると、表面Ａ９、Ａ１０、Ａ１１及びＡ１２からなる第３切分け部３をカレンダーから切り分けることができる。
【００３４】
図１及び図２に示すように、第３切分け部３には折り線Ｄ１３、Ｄ２３、Ｄ３３及びＤ４が設けられている。図４に示すように、折り線Ｄ１３及びＤ３３は谷折り、折り線Ｄ２３は山折りにする。
【００３５】
このように折り線Ｄ１３、Ｄ２３及びＤ３３に沿って折ることにより、第３切分け部３は本の一部となる。
【００３６】
裏面Ｂ８と裏面Ｂ９、裏面Ｂ１０と裏面Ｂ１１は接着させる。接着方法はのり、テープ等どのようなものであってもよい。また、裏面Ｂ８及びＢ９、裏面Ｂ１０及びＢ１１の少なくともいずれか一方が、シールとなっているものであってもよい。裏面Ｂ１０と裏面Ｂ１１は本実施形態では接着させるが、接着させなくてもよい。
【００３７】
次に、切分け線Ｃ３及び切り分け線Ｃ４に沿って切り分けると、表面Ａ１３、Ａ１４、Ａ１５及びＡ１６（裏面Ｂ１３、Ｂ１４、Ｂ１５及びＢ１６）からなる第４切分け部４をカレンダーから切り分けることができる。
【００３８】
図１及び図２に示すように、第４切分け部４には折り線Ｄ１４、Ｄ２４、Ｄ３４及びＤ４が設けられている。図４に示すように、折り線Ｄ１４及びＤ３４は谷折り、折り線Ｄ２４は山折りにする。
【００３９】
このように折り線Ｄ１４、Ｄ２４及びＤ３４に沿って折ることにより、第４切分け部４は本の一部となる。
【００４０】
裏面Ｂ１２と裏面Ｂ１３、裏面Ｂ１４と裏面Ｂ１５は接着させる。接着方法はのり、テープ等どのようなものであってもよい。また、裏面Ｂ１２及びＢ１３、裏面Ｂ１４及びＢ１５の少なくともいずれか一方が、シールとなっているものであってもよい。裏面Ｂ１４と裏面Ｂ１５は本実施形態では接着させるが、接着させなくてもよい。
【００４１】
このような工程を経ることにより１枚もののカレンダーを本にすることができる。つまり、例えば壁掛けカレンダーを本にすることができる。このようなものであれば、例えばこのような壁掛けカレンダーに家族の日々の行事等を書き込んでいけば、１２月が終わった段階でそのカレンダーは１年間の家族の思い出となる。そして、その壁掛けカレンダーを本にすることによりアルバムのように保存することができる。
【００４２】
〈第２実施形態〉次に第２実施形態について説明する。第２実施形態について第１実施形態と同様の説明は省略する。第１実施形態ではカレンダーが切分け線Ｃを備え、切分け線Ｃに沿って第１切分け部１、第２切分け部２、第３切分け部３及び第４切分け部４に切り分ける構成であるが、第２実施形態は、第１剥し部５、第２剥し部６、第３剥し部７及び第４剥し部８を備える構成である。
【００４３】
図６に示すように、本実施形態のカレンダーでは、剥し線Ｅである剥し線Ｅ１乃至Ｅ４を備える。本実施形態のカレンダーは２重構造となっており、第１剥し部５、第２剥し部６、第３剥し部７及び第４剥し部８が、剥し線Ｅに沿ってカレンダーから剥せるようになっており、人の手で簡単に剥すことができる。
【００４４】
図６に示すように、本実施形態のカレンダーでは、折り線Ｄである折り線Ｄ１乃至Ｄ４を備える。折り線Ｄは山折り又は谷折りしやすいように設けられた線である。これは第１実施形態と同様である。
【００４５】
次に製本工程について説明する。まず剥し線Ｅ１に沿って剥すと、表面Ａ１、Ａ２、Ａ３及びＡ４（裏面Ｂ１、Ｂ２、Ｂ３及びＢ４）からなる第１剥し部５をカレンダーから剥すことができる。その他のことは第１実施形態と同様である。
【００４６】
次に、剥し線Ｅ１、Ｅ２及びＥ４に沿って剥すと、表面Ａ５、Ａ６、Ａ７及びＡ８（裏面Ｂ５、Ｂ６、Ｂ７及びＢ８）からなる第２剥し部６をカレンダーから剥すことができる。また、剥し線Ｅ２、Ｅ３及びＥ４に沿って剥すと、表面Ａ９、Ａ１０、Ａ１１及びＡ１２（裏面Ｂ９、Ｂ１０、Ｂ１１及びＢ１２）からなる第３剥し部７をカレンダーから剥すことができる。そして、剥し線Ｅ３及びＥ４に沿って剥すと、表面Ａ１３、Ａ１４、Ａ１５及びＡ１６（裏面Ｂ１３、Ｂ１４、Ｂ１５及びＢ１６）からなる第４剥し部８をカレンダーから剥すことができる。
【００４７】
なお、剥し部の数は限定されるものではなく、どのように区分けしてもよい。また、裏面はシールのように粘着性が付されていてもよく、それが裏面の一部であってもよい。
【００４８】
その他のことは第１実施形態と同様である。なお、本実施形態の具体的構成は、本発明の趣旨を逸脱しない範囲で種々変形ができ、本実施形態に限定されるものではない。
【００４９】
例えば、切取り線の位置や本数、折り線の位置や本数、カレンダーの形状や紙質等に限定されるものでなく、またカレンダーは紙でなくプラスチック等どのようなものであってもよい。
【符号の説明】
【００５０】
Ａ…表面
Ｂ…裏面
Ｃ…切分け線
Ｄ…折り線
Ｅ…剥し線
１…第１切分け部
２…第２切分け部
３…第３切分け部
４…第４切分け部
５…第１剥し部
６…第２剥し部
７…第３剥し部
８…第４剥し部
【図１】
2017052201.tif 000003
【図２】
2017052201.tif 000004
【図３】
2017052201.tif 000005
【図４】
2017052201.tif 000006
【図５】
2017052201.tif 000007
【図６】
2017052201.tif 000008